(57)【要約】  無線基地局は、上位レイヤによって設定された周期に従う第１チャネルのアクティベーションのための第１下り制御情報を送信し、前記第１チャネルの再送のスケジューリングのための第２下り制御情報を送信する送信部と、前記第２下り制御情報における特定フィールドの位置を、前記第１下り制御情報における前記特定フィールドの位置に合わせる制御部と、を有する。
2019230003.tif 000002
【特許請求の範囲】
【請求項１】
上位レイヤによって設定された周期に従う第１チャネルのアクティベーションのための第１下り制御情報を送信し、前記第１チャネルの再送のスケジューリングのための第２下り制御情報を送信する送信部と、
前記第２下り制御情報における特定フィールドの位置を、前記第１下り制御情報における前記特定フィールドの位置に合わせる制御部と、を有することを特徴とする無線基地局。
【請求項２】
前記制御部は、前記第１チャネルのための設定を示す第１設定情報、上位レイヤによって周期を設定されない第２チャネルのための設定を示す第２設定情報、及び前記第２下り制御情報、の中の所定パラメータを前記再送に適用することを特徴とする請求項１に記載の無線基地局。
【請求項３】
前記制御部は、前記第１設定情報の中の、周期、繰り返し回数、冗長バージョン系列、周期、の少なくとも１つを、前記再送に適用しないことを特徴とする請求項２に記載の無線基地局。
【請求項４】
前記制御部は、前記第２下り制御情報内の、時間ドメインリソース割り当て、冗長バージョン、の少なくとも１つを、前記再送に適用することを特徴とする請求項２又は請求項３に記載の無線基地局。
【請求項５】
前記制御部は、前記第１設定情報のうち設定グラントタイプ１送信用のパラメータを、前記再送に適用しないことを特徴とする請求項２から請求項４のいずれかに記載の無線基地局。
【請求項６】
上位レイヤによって設定された周期に従う第１チャネルのアクティベーションのための第１下り制御情報を送信し、前記第１チャネルの再送のスケジューリングのための第２下り制御情報を送信する工程と、
前記第２下り制御情報における特定フィールドの位置を、前記第１下り制御情報における前記特定フィールドの位置に合わせる工程と、を有することを特徴とする無線基地局の無線通信方法。
【発明の詳細な説明】
【技術分野】
【０００１】
本発明は、次世代移動通信システムにおける無線基地局及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１３、１４又は１５以降などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）などともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
無線基地局は、ユーザ端末に対するデータの割当て（スケジューリング）を制御し、下り制御情報（ＤＣＩ：Downlink  Control  Information）を用いてデータのスケジューリングをユーザ端末に通知する。ユーザ端末は、下り制御情報が送信される下り制御チャネル（ＰＤＣＣＨ）をモニタして受信処理（復調、復号処理等）を行い、受信した下り制御情報に基づいてＤＬデータの受信及び／又は上りデータの送信を制御する。【０００５】
下り制御チャネル（ＰＤＣＣＨ／ＥＰＤＣＣＨ）は、１又は複数の制御チャネル要素（ＣＣＥ（Control  Channel  Element）／ＥＣＣＥ（Enhanced  Control  Channel  Element））の集合（aggregation）を利用して送信が制御される。また、各制御チャネル要素は複数のリソースエレメントグループ（ＲＥＧ（Resource  Element  Group）／ＥＲＥＧ（Enhanced  Resource  Element  Group））で構成される。リソースエレメントグループは、リソースエレメント（ＲＥ）に対する制御チャネルのマッピングを行う場合にも利用される。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＮＲ）では、下り制御情報によって送信をスケジュールすることの他に、周期的送信を上位レイヤによって設定することが検討されている。周期的送信は、例えば、設定グラントベース送信（configured  grant-based  transmission）、セミパーシステント送信（semi-persistent  transmission）である。【０００８】
このような周期的送信の再送は、下り制御情報によってスケジュールされることが検討されている。しかしながら、再送の設定をどのように行うかが決められていない。再送が適切に設定されなければ、通信性能が劣化するおそれがある。【０００９】
本開示は、上位レイヤ設定に従う送信に対し、再送を適切に設定する無線基地局及び無線通信方法を提供することを目的の１つとする。
【課題を解決するための手段】
【００１０】
本開示の一態様に係る無線基地局は、上位レイヤによって設定された周期に従う第１チャネルのアクティベーションのための第１下り制御情報を送信し、前記第１チャネルの再送のスケジューリングのための第２下り制御情報を送信する送信部と、前記第２下り制御情報における特定フィールドの位置を、前記第１下り制御情報における前記特定フィールドの位置に合わせる制御部と、を有することを特徴とする。
【発明の効果】
【００１１】
本発明によれば、上位レイヤ設定に従う送信に対し、再送を適切に設定できる。
【図面の簡単な説明】
【００１２】
【図１】ＤＣＩフォーマット０＿０におけるフィールドの一例を示す図である。
【図２】ＤＣＩフォーマット０＿１におけるフィールドの一例を示す図である。
【図３】共通設定情報のうち再送に用いられるパラメータの一例を示す図である。
【図４】設定グラントタイプ１設定情報のうち再送に用いられるパラメータの一例を示す図である。
【図５】本発明の一実施形態に係る無線通信システムの概略構成の一例を示す図である。
【図６】本発明の一実施形態に係る無線基地局の全体構成の一例を示す図である。
【図７】本発明の一実施形態に係る無線基地局の機能構成の一例を示す図である。
【図８】本発明の一実施形態に係るユーザ端末の全体構成の一例を示す図である。
【図９】本発明の一実施形態に係るユーザ端末の機能構成の一例を示す図である。
【図１０】本発明の一実施形態に係る無線基地局及びユーザ端末のハードウェア構成の一例を示す図である。
【発明を実施するための形態】
【００１３】
ＮＲのＵＬ送信について、動的グラントベース送信（dynamic  grant-based  transmission）及び設定グラントベース送信（configured  grant-based  transmission）が検討されている。
【００１４】
動的グラントベース送信は、動的なＵＬグラント（dynamic  grant、dynamic  UL  grant）に基づいて、上り共有チャネル（例えば、ＰＵＳＣＨ（Physical  Uplink  Shared  Channel））を用いてＵＬ送信を行う方法である。
【００１５】
設定グラントベース送信は、上位レイヤによって設定されたＵＬグラント（例えば、設定グラント（configured  grant）、configured  UL  grantなどと呼ばれてもよい）に基づいて、上り共有チャネル（例えば、ＰＵＳＣＨ）を用いてＵＬ送信を行う方法である。設定グラントベース送信は、ＵＥに対して既にＵＬリソースが割り当てられており、ＵＥは設定されたリソースを用いて自発的にＵＬ送信できるため、低遅延通信の実現が期待できる。
【００１６】
動的グラントベース送信は、動的グラントベースＰＵＳＣＨ（dynamic  grant-based  ＰＵＳＣＨ）、動的グラントを伴うＵＬ送信（UL  Transmission  with  dynamic  grant）、動的グラントを伴うＰＵＳＣＨ（PUSCH  with  dynamic  grant）、ＵＬグラントありのＵＬ送信（UL  Transmission  with  UL  grant）、ＵＬグラントベース送信（UL  grant-based  transmission）、動的グラントによってスケジュールされる（送信リソースを設定される）ＵＬ送信などと呼ばれてもよい。
【００１７】
設定グラントベース送信は、設定グラントベースＰＵＳＣＨ（configured  grant-based  ＰＵＳＣＨ）、設定グラントを伴うＵＬ送信（UL  Transmission  with  configured  grant）、設定グラントを伴うＰＵＳＣＨ（PUSCH  with  configured  grant）、ＵＬグラントなしのＵＬ送信（UL  Transmission  without  UL  grant）、ＵＬグラントフリー送信（UL  grant-free  transmission）、設定グラントによってスケジュールされる（送信リソースを設定される）ＵＬ送信などと呼ばれてもよい。
【００１８】
また、設定グラントベース送信は、ＵＬ  セミパーシステントスケジューリング（ＳＰＳ：Semi-Persistent  Scheduling、準永続的スケジューリング）の１種類として定義されてもよい。
【００１９】
設定グラントベース送信については、いくつかのタイプ（タイプ１、タイプ２など）が検討されている。
【００２０】
設定グラントタイプ１送信（configured  grant  type  1  transmission、type  1  PUSCH  transmission  with  configured  grant）において、設定グラントベース送信に用いるパラメータ（設定グラントベース送信パラメータ、設定グラントパラメータなどと呼ばれてもよい）は、上位レイヤシグナリングのみを用いてＵＥに設定される。
【００２１】
設定グラントタイプ２送信（configured  grant  type  2  transmission、type  2  PUSCH  transmission  with  configured  grant）において、設定グラントパラメータは、上位レイヤシグナリングによってＵＥに設定される。設定グラントタイプ２送信において、設定グラントパラメータの少なくとも一部は、物理レイヤシグナリング（例えば、後述のアクティベーション用下り制御情報（ＤＣＩ：Downlink  Control  Information））によってＵＥに通知されてもよい。
【００２２】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００２３】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）、その他のシステム情報（ＯＳＩ：Other  System  Information）などであってもよい。
【００２４】
設定グラントパラメータは、ＲＲＣのConfiguredGrantConfig情報要素（設定グラント設定情報）を用いてＵＥに設定されてもよい。設定グラントパラメータは、例えば設定グラントリソースを特定する情報を含んでもよい。設定グラントパラメータは、例えば、設定グラントのインデックス、時間オフセット、周期（periodicity）、トランスポートブロック（ＴＢ：Transport  Block）の繰り返し送信回数（繰り返し回数、Ｋと表現されてもよい）、繰り返し送信で使用する冗長バージョン（ＲＶ：Redundancy  Version）系列、上述のタイマなどに関する情報を含んでもよい。
【００２５】
ここで、周期及び時間オフセットは、それぞれ、シンボル、スロット、サブフレーム、フレームなどの単位で表されてもよい。周期は、例えば、所定数のシンボルで示されてもよい。時間オフセットは、例えば所定のインデックス（スロット番号＝０及び／又はシステムフレーム番号＝０など）のタイミングに対するオフセットで示されてもよい。繰り返し送信回数は、任意の整数であってもよく、例えば、１、２、４、８などであってもよい。繰り返し送信回数がｎ（＞０）の場合、ＵＥは、所定のＴＢを、ｎ回の送信機会を用いて設定グラントベースＰＵＳＣＨ送信してもよい。
【００２６】
ＵＥは、設定グラントタイプ１送信を設定された場合、１つ又は複数の設定グラントがトリガされたと判断してもよい。ＵＥは、設定された設定グラントベース送信用のリソース（設定グラントリソース、送信機会（transmission  occasion）などと呼ばれてもよい）を用いて、ＰＵＳＣＨ送信を行ってもよい。なお、設定グラントベース送信が設定されている場合であっても、送信バッファにデータがない場合は、ＵＥは設定グラントベース送信をスキップしてもよい。
【００２７】
ＵＥは、設定グラントタイプ２送信を設定され、かつ所定のアクティベーション信号が通知された場合、１つ又は複数の設定グラント送信がトリガ（又はアクティベート）されたと判断してもよい。当該所定のアクティベーション信号（アクティべーション用ＤＣＩ）は、所定の識別子（例えば、ＣＳ−ＲＮＴＩ：Configured  Scheduling  RNTI）でＣＲＣ（Cyclic  Redundancy  Check）スクランブルされるＤＣＩ（ＰＤＣＣＨ）であってもよい。なお、当該ＤＣＩは、設定グラント送信の解放（リリース（release）、ディアクティベート（deactivate）などと呼ばれてもよい）、再送などの制御に用いられてもよい。
【００２８】
ＵＥは、上位レイヤで設定された設定グラントリソースを用いてＰＵＳＣＨ送信を行うか否かを、上記所定のアクティベーション信号に基づいて判断してもよい。ＵＥは、設定グラントを解放するＤＣＩ又は所定のタイマの満了（所定時間の経過）に基づいて、当該設定グラントに対応するリソース（ＰＵＳＣＨ）を解放してもよい。
【００２９】
なお、設定グラントベース送信がアクティベート（アクティブ状態である）場合であっても、送信バッファにデータがない場合は、ＵＥは設定グラントベース送信をスキップしてもよい。
【００３０】
なお、動的グラント及び設定グラントのそれぞれは、実際のＵＬグラント（actual  UL  grant）と呼ばれてもよい。つまり、実際のＵＬグラントは、上位レイヤシグナリング（例えば、ＲＲＣのConfiguredGrantConfig情報要素）、物理レイヤシグナリング（例えば、上記所定のアクティベーション信号）又はこれらの組み合わせであってもよい。
【００３１】
ＵＥは、設定グラントタイプ１送信において、１スロット内のＰＵＳＣＨの繰り返し（repetition）をサポートしてもよいし、複数スロットにわたるＰＵＳＣＨの繰り返しをサポートしてもよい。ＵＥは、設定グラントタイプ２送信において、１スロット内のＰＵＳＣＨの繰り返しをサポートしてもよいし、複数スロットにわたるＰＵＳＣＨの繰り返しをサポートしてもよい。設定グラントの設定情報（設定グラント設定情報、ConfiguredGrantConfig）は、上位レイヤによって設定され、データの繰り返し回数（repK）を含んでもよい。
【００３２】
ＵＥは、動的グラントベース送信において、１スロット内のＰＵＳＣＨの繰り返しをサポートしてもよいし、複数スロットにわたるＰＵＳＣＨの繰り返し送信をサポートしてもよい。動的グラントベース送信の設定情報（動的グラント設定情報、ＰＵＳＣＨ設定情報、PUSCH-Config）は、上位レイヤによってＵＥに設定され、データの繰り返し回数（pusch-AggregationFactor、aggregation-factor-UL）を含んでもよい。
【００３３】
ＵＥは、ＰＤＳＣＨにおいて、１スロット内のＰＤＳＣＨの繰り返しをサポートしてもよいし、複数スロットにわたるＰＤＳＣＨの繰り返しをサポートしてもよい。ＰＤＳＣＨの設定情報（ＰＤＳＣＨ設定情報、PDSCH-Config）は、上位レイヤによって設定され、データの繰り返し回数（pdsch-AggregationFactor、aggregation-factor-DL）を含んでもよい。
【００３４】
また、ＵＥは、例えば上位レイヤシグナリング（例えば、ＳＰＳ設定情報、SPS-Config）によってＳＰＳのための周期的なリソースを設定され、ＰＤＣＣＨを用いて通知される下り制御情報（ＤＣＩ：Downlink  Control  Information）によって、当該リソースを用いた送信及び受信の少なくとも一方をアクティベート又はリリース（ディアクティベート）されてもよい。
【００３５】
ＳＰＳのためのＰＤＣＣＨ（ＤＣＩ）は、ＳＰＳ用のＲＮＴＩ（Radio  Network  Temporary  Identifier）によってＣＲＣ（Cyclic  Redundancy  Check）スクランブルされてもよい。ＳＰＳ用のＲＮＴＩは、ＣＳ−ＲＮＴＩ（Configured  Scheduling  RNTI）と呼ばれてもよい。
【００３６】
なお、ＳＰＳは下りデータ用のＳＰＳ（ＤＬ  ＳＰＳ、ＳＰＳ  ＰＤＳＣＨなどと呼ばれてもよい）を想定するが、上りデータ用のＳＰＳ（ＵＬ  ＳＰＳ、ＳＰＳ  ＰＵＳＣＨなどと呼ばれてもよい）に読み替えられてもよい。
【００３７】
また、ＵＥがＰＤＣＣＨ候補をモニタするサーチスペースとしては、以下のようなサーチスペースであってもよい。つまり、サーチスペースの種別がＣＳＳとＵＳＳに分類され、さらにＣＳＳにおいて複数のタイプが設定されてもよいし、下記すべてのタイプのＣＳＳを分類せず、包括的にＣＳＳとして取り扱ってもよい。
・タイプ０−ＰＤＣＣＨ  ＣＳＳ
・タイプ０Ａ−ＰＤＣＣＨ  ＣＳＳ
・タイプ１−ＰＤＣＣＨ  ＣＳＳ
・タイプ２−ＰＤＣＣＨ  ＣＳＳ
・タイプ３−ＰＤＣＣＨ  ＣＳＳ
・ＵＳＳ
【００３８】
タイプ０−ＰＤＣＣＨ  ＣＳＳは、システム情報無線ネットワーク一時識別子（ＳＩ−ＲＮＴＩ：System  Information  Radio  Network  Temporary  Identifier）によって巡回冗長検査（ＣＲＣ：Cyclic  Redundancy  Check）ビットがマスキング（スクランブル）されるＤＣＩフォーマットのためのＳＳと呼ばれてもよい。
【００３９】
タイプ０Ａ−ＰＤＣＣＨ  ＣＳＳは、ＳＩ−ＲＮＴＩによってＣＲＣスクランブルされるＤＣＩフォーマットのためのＳＳと呼ばれてもよい。なお、タイプ０−ＰＤＣＣＨは、例えばＲＭＳＩの通知のために用いられ、タイプ０Ａ−ＰＤＣＣＨは、例えば他のＳＩ（ＯＳＩ：Other  SI（System  Information））の通知のために用いられてもよい。
【００４０】
タイプ１−ＰＤＣＣＨ  ＣＳＳは、ランダムアクセスＲＮＴＩ（ＲＡ−ＲＮＴＩ：Random  Access  RNTI）、一時的セルＲＮＴＩ（ＴＣ−ＲＮＴＩ：Temporary  Cell  RNTI）又はセルＲＮＴＩ（Ｃ−ＲＮＴＩ：Cell  RNTI）によってＣＲＣスクランブルされるＤＣＩフォーマットのためのＳＳと呼ばれてもよい。
【００４１】
タイプ２−ＰＤＣＣＨ  ＣＳＳは、ページングＲＮＴＩ（Ｐ−ＲＮＴＩ：Paging  RNTI）によってＣＲＣスクランブルされるＤＣＩフォーマットのためのＳＳと呼ばれてもよい。
【００４２】
タイプ３−ＰＤＣＣＨ  ＣＳＳは、ＤＬプリエンプション指示用のＩＮＴ−ＲＮＴＩ（INTerruption  RNTI）、スロットフォーマット指示用のＳＦＩ−ＲＮＴＩ（Slot  Format  Indicator  RNTI）、ＰＵＳＣＨ（Physical  Uplink  Shared  Channel）の送信電力制御（ＴＰＣ：Transmit  Power  Control）用のＴＰＣ−ＰＵＳＣＨ−ＲＮＴＩ、ＰＵＣＣＨ（Physical  Uplink  Control  Channel）のＴＰＣ用のＴＰＣ−ＰＵＣＣＨ−ＲＮＴＩ、ＳＲＳ（Sounding  Reference  Signal）のＴＰＣ用のＴＰＣ−ＳＲＳ−ＲＮＴＩ、Ｃ−ＲＮＴＩ又はＣＳ−ＲＮＴＩ（Configured  Scheduling  RNTI）によってＣＲＣスクランブルされるＤＣＩフォーマットのためのＳＳと呼ばれてもよい。
【００４３】
ＵＳＳ：Ｃ−ＲＮＴＩ又はＣＳ−ＲＮＴＩによってＣＲＣスクランブルされるＤＣＩフォーマットのためのＳＳと呼ばれてもよい。ＵＳＳでは、ＤＣＩフォーマット０＿０、０＿１、１＿０、１＿１のうち少なくとも１つまたは複数のモニタリングを設定することができる。
【００４４】
サーチスペースのタイプは、モニタするＰＤＣＣＨ候補において送信されるＤＣＩの特徴（フォーマット、ＲＮＴＩなど）と、サーチスペースを関連付ける情報ともいえる。
【００４５】
ここで、ＣＳ−ＲＮＴＩは、動的スケジューリングなしの下り送信及び上り送信の少なくとも一つの制御に用いられる。当該下り送信は、セミパーシステントスケジューリング（ＳＰＳ）、セミパーシステント送信、下りＳＰＳ等とも呼ばれる。また、当該上り送信は、設定グラントベース送信、上り設定グラントベース送信等とも呼ばれる。
【００４６】
ＳＰＳでは、ＣＳ−ＲＮＴＩでＣＲＣスクランブルされるＤＣＩにより、所定周期のＰＤＳＣＨ送信のアクティブ化（activation）、解放（release、deactivation）及び再送（retransmission）の少なくとも一つが制御されてもよい。
【００４７】
設定グラントベース送信では、ＣＳ−ＲＮＴＩでＣＲＣスクランブルされるＤＣＩにより、所定周期のＰＵＳＣＨ送信のアクティブ化、非アクティブ化及び再送の少なくとも一つが制御されてもよい。動的グラントベース送信（初送又は再送）のでは、Ｃ−ＲＮＴＩでＣＲＣスクランブルされるＤＣＩにより、スケジューリングが制御されてもよい。
【００４８】
各ＤＣＩフォーマットにおいて、ＣＳ−ＲＮＴＩを用いたＤＣＩのサイズが、Ｃ−ＲＮＴＩを用いたＤＣＩのサイズと同じであることが検討されている。具体的には次のことが検討されている。
【００４９】
・ＵＥは、対応するサーチスペースにおいて、ＣＳ−ＲＮＴＩによってスクランブルされたＣＲＣを有するＤＣＩフォーマット１＿１を用いるＤＣＩのサイズは、Ｃ−ＲＮＴＩによってスクランブルされたＣＲＣを有するＤＣＩフォーマット１＿１を用いるＤＣＩのサイズと同じであると想定して、ＤＣＩフォーマットのブラインド復号を行う。
・ＵＥは、対応するサーチスペースにおいて、ＣＳ−ＲＮＴＩによってスクランブルされたＣＲＣを有するＤＣＩフォーマット０＿１を用いるＤＣＩのサイズは、Ｃ−ＲＮＴＩによってスクランブルされたＣＲＣを有するＤＣＩフォーマット０＿１を用いるＤＣＩのサイズと同じであると想定して、ＤＣＩフォーマットのブラインド復号を行う。
・ＵＥは、対応するサーチスペースにおいて、ＣＳ−ＲＮＴＩによってスクランブルされたＣＲＣを有するＤＣＩフォーマット１＿０を用いるＤＣＩのサイズは、Ｃ−ＲＮＴＩによってスクランブルされたＣＲＣを有するＤＣＩフォーマット１＿０を用いるＤＣＩのサイズと同じであると想定して、ＤＣＩフォーマットのブラインド復号を行う。
・ＵＥは、対応するサーチスペースにおいて、ＣＳ−ＲＮＴＩによってスクランブルされたＣＲＣを有するＤＣＩフォーマット０＿０を用いるＤＣＩのサイズは、Ｃ−ＲＮＴＩによってスクランブルされたＣＲＣを有するＤＣＩフォーマット０＿０を用いるＤＣＩのサイズと同じであると想定して、ＤＣＩフォーマットのブラインド復号を行う。
【００５０】
ＬＴＥにおいて、ＳＰＳ−Ｃ−ＲＮＴＩによってスクランブルされたＣＲＣを有するＤＣと、Ｃ−ＲＮＴＩによってスクランブルされたＣＲＣを有するＤＣＩとの間において異なる上位レイヤパラメータがないため、これらのＤＣＩの間には違いが無い。
【００５１】
ＮＲにおいて、設定グラント用の幾つかのパラメータ（例えば、ＲＡタイプ（resource  allocation  type）、変換プリコーダ（transformer  precoder）、周波数ホッピングなど）は、動的グラント用のパラメータと別に設定されることができる。よって、設定グラントベース送信のためのＤＣＩ構造は、動的グラントベース送信のためのＤＣＩ構造と異なってもよい。
【００５２】
ＵＥは、ＳＣｅｌｌ上のタイプ３−ＣＳＳにおいて、Ｃ−ＲＮＴＩによってスクランブルされたＣＲＣを有するＰＤＣＣＨと、ＣＳ−ＲＮＴＩによってスクランブルされたＣＲＣを有するＰＤＣＣＨと、をモニタしないことが検討されている。
【００５３】
ＵＥが、あるＣＣ（Component  Carrier）から別のＣＣに対してクロスキャリアスケジューリングとＣＳ−ＲＮＴＩを設定された場合、ＵＥは、ＣＳ−ＲＮＴＩによってスクランブルされたＣＲＣとＣＩＦ（Carrier  Indicator  Field）とを有するＤＣＩフォーマット０＿１及びＤＣＩフォーマット１＿１の少なくとも１つを所定のセルでモニタすることが検討されている。ＣＳ−ＲＮＴＩを用いたＤＣＩにおいて、ＣＩＦは、ＳＰＳ又は設定グラント（configured  grant）タイプ２送信のアクティベーションを、当該ＤＣＩフォーマットがモニタリングされるＣＣから別のＣＣに対して行うために用いられる。
【００５４】
設定グラントベース送信のアクティベーションを通知されたＵＥは、設定グラントベース設定情報に従って、設定グラントベース送信を行う。
【００５５】
一方、設定グラントベース送信の再送を通知されたＵＥは、動的グラント設定情報に従うか、設定グラント設定情報に従うか、が決められていない。
【００５６】
また、ＣＳ−ＲＮＴＩを用いたアクティベーション／リリースのためのＤＣＩ（アクティベーション／リリース用ＤＣＩ）のサイズと、ＣＳ−ＲＮＴＩを用いた再送のスケジューリングのためのＤＣＩ（再送スケジューリング用ＤＣＩ）のサイズと、が同じであることと考えられる。
【００５７】
もしアクティベーション／リリース用ＤＣＩによってトリガされたＰＵＳＣＨと、再送スケジューリング用ＤＣＩによってスケジュールされた再送ＰＵＳＣＨとの両方が、設定グラント設定情報に従うとすると、ＵＥは、ＣＳ−ＲＮＴＩを用いたＤＣＩが、アクティベーション／リリース用ＤＣＩであるか再送スケジューリング用ＤＣＩであるかを区別する必要がある。この場合、ＵＥは、ＣＳ−ＲＮＴＩを用いたＤＣＩ内の、ＮＤＩ（New  Data  Indicator、新規データ指示子）、ＨＰＮ（HARQ  Process  Number（ID））、ＲＶ（Redundancy  Version、冗長バージョン）の少なくとも１つのフィールドを用いて、ＤＣＩを区別することができる。
【００５８】
しかしながら、もしアクティベーション／リリース用ＤＣＩに基づく初送が設定グラント設定情報に従い、再送スケジューリング用ＤＣＩに基づく再送が動的グラント設定情報に従う場合、アクティベーション／リリース用ＤＣＩと再送スケジューリング用ＤＣＩとの間において、ＮＤＩ、ＨＰＮ、ＲＶの少なくとも１つのフィールドのビット位置が異なることが考えられる。よって、ＵＥは、アクティベーション／リリース用ＤＣＩと再送スケジューリング用ＤＣＩを区別する際の曖昧さによって、正しく区別できないおそれがある。
【００５９】
もし、設定グラントの再送が設定グラント設定情報に従う場合、再送における繰り返し送信（repetition）の繰り返し回数（repetition  factor）Ｋ、再送のＲＶ、設定グラントタイプ１送信の再送の時間／周波数ドメインリソース割り当て（resource  allocation：ＲＡ）などが、どの情報に従うかが問題となる。
【００６０】
そこで、本発明者らは、上位レイヤによって設定された周期に従って送信される第１チャネル（例えば、設定グラント送信のＰＵＳＣＨ、ＳＰＳのＰＤＳＣＨ）のための設定を示す第１設定情報、周期に従わずに送信される第２チャネル（例えば、動的グラントによってスケジュールされる、ＰＵＳＣＨ、ＰＤＳＣＨ）のための設定を示す第２設定情報、及び再送スケジューリング用ＤＣＩ、の中の適切なパラメータを再送に適用することを着想した。
【００６１】
以下、本発明に係る実施形態について、図面を参照して詳細に説明する。以下の各態様は、それぞれ単独で適用されてもよいし、組み合わせて適用されてもよい。
【００６２】
以下の説明において、本発明をＵＬの設定グラントベース送信の初送及び再送に適用する場合について説明するが、本発明はＳＰＳ（ＤＬ  ＳＰＳ）にも適用できる。よって、設定グラントベース送信は、ＳＰＳと読み替えられてもよい。設定グラント設定情報は、ＳＰＳ設定情報（SPS-Config）と読み替えられてもよい。動的グラント設定情報は、ＰＤＳＣＨ設定情報（PDSCH-Config）と読み替えられてもよい。設定グラントベース送信、ＳＰＳは、上位レイヤによって設定された周期（時間リソース）に従うチャネル、ＤＣＩ（動的グラント）によってスケジュールされないチャネル、などと呼ばれてもよい。通常のＰＵＳＣＨ、ＰＵＤＳＣＨは、上位レイヤによって周期（時間リソース）を設定されないチャネル、ＤＣＩ（動的グラント）によってスケジュールされるチャネル、などと呼ばれてもよい。
【００６３】
（第１の態様）
第１の態様において、ＣＳ−ＲＮＴＩによってスクランブルされたＣＲＣを有するＤＣＩによってスケジュールされた再送のための少なくとも１つのパラメータは、設定グラント設定情報に従う。言い換えれば、設定グラント送信の初送と再送が、同じ上位レイヤパラメータに従う。
【００６４】
設定グラント送信の初送は、設定グラント設定情報に従う。
【００６５】
もし繰り返し回数Ｋが設定グラント設定情報の一部としてＵＥに設定された場合、ＣＳ−ＲＮＴＩでＣＲＣがスクランブルされたＤＣＩを用いてスケジュールされた再送に対し、同じ繰り返し回数が適用されてもよい。たとえ繰り返し回数が動的グラント設定情報の一部としてＵＥに設定された場合であっても、ＣＳ−ＲＮＴＩでＣＲＣがスクランブルされたＤＣＩを用いてスケジュールされたＰＵＳＣＨに対し、動的グラント設定情報内の繰り返し回数は用いられなくてもよい。例えば、動的グラント設定情報内の繰り返し回数が１を示し、設定グラント設定情報内の繰り返し回数が４を示す場合、ＵＥは、ＣＳ−ＲＮＴＩでＣＲＣがスクランブルされたＤＣＩを用いてスケジュールされたＰＵＳＣＨに対し、設定グラント設定情報内の繰り返し回数４を適用する。
【００６６】
設定グラントタイプ１送信において、アクティベーション／リリース用ＤＣＩは用いられず、再送スケジューリング用ＤＣＩは用いられてもよい。
【００６７】
設定グラントタイプ１送信に対し、ＣＳ−ＲＮＴＩでＣＲＣがスクランブルされたＤＣＩを用いてスケジュールされた再送ＰＵＳＣＨの時間／周波数ドメインリソース割り当ては、上位レイヤ設定（設定グラント設定情報のうち設定グラントタイプ１送信用の設定情報（設定グラントタイプ１設定情報、rrc-ConfiguredUplinkGrant））に従ってもよい。たとえ再送スケジューリング用ＤＣＩが時間／周波数ドメインリソース割り当てフィールドを含んでいる場合であっても、この時間／周波数ドメインリソース割り当てフィールドは用いられなくてもよい。
【００６８】
設定グラント送信の初送と再送の両方が、設定グラント設定情報に従うことによって、アクティベーション／リリース用ＤＣＩと再送スケジューリング用ＤＣＩとの間において、特定フィールド（特定ＤＣＩフィールド）のビット位置が固定であってもよい。特定フィールドは、ＮＤＩ（例えば１ビット）、ＲＶ（例えば２ビット）、ＨＰＮ（例えば４ビット）の少なくとも１つであってもよい。
【００６９】
例えば、アクティベーション／リリース用ＤＣＩと再送スケジューリング用ＤＣＩとが、ＤＣＩフォーマット０＿０を用いる場合、これらのＤＣＩ内の特定フィールドのビット位置は、図１に従ってもよい。例えば、アクティベーション／リリース用ＤＣＩと再送スケジューリング用ＤＣＩとが、ＤＣＩフォーマット０＿１を用いる場合、これらのＤＣＩ内の特定フィールドのビット位置は、図２に従ってもよい。
【００７０】
ＵＥは、ＣＳ−ＲＮＴＩを用いたＤＣＩがアクティベーション／リリース用ＤＣＩであるか再送スケジューリング用ＤＣＩであるかに関わらず、特定フィールドがＤＣＩ内の固定のビット位置にあると想定してもよい。ＵＥは、ＣＳ−ＲＮＴＩを用いたＤＣＩ内の固定のビット位置にある特定フィールドに基づいて、当該ＤＣＩがアクティベーション／リリース用ＤＣＩであるか再送スケジューリング用ＤＣＩであるかを判定してもよい。
【００７１】
以上の第１の態様によれば、ＣＳ−ＲＮＴＩを用いたＤＣＩ内の特定フィールドが固定のビット位置であることによって、ＵＥは、当該フィールドを容易に読むことができ、ＮＷは、ＤＣＩ構造を制御する必要が無いため、ＵＥ及びＮＷの処理負荷を抑えることができる。また、ＵＥは、ＣＳ−ＲＮＴＩを用いたＤＣＩが、アクティベーション／リリース用ＤＣＩであるか再送スケジューリング用ＤＣＩであるかを区別できる。
【００７２】
（第２の態様）
第２の態様において、ＣＳ−ＲＮＴＩによってスクランブルされたＣＲＣを有するＤＣＩによってスケジュールされた再送のための少なくとも１つのパラメータは、動的グラント設定情報に従う。言い換えれば、設定グラント送信の初送と再送が、異なる上位レイヤパラメータに従う。設定グラント送信の再送は、設定グラント設定情報に従わなくてもよい。
【００７３】
設定グラント送信の初送は、設定グラント設定情報に従う。
【００７４】
もし繰り返し回数Ｋが動的グラント設定情報の一部として設定された場合、ＣＳ−ＲＮＴＩでＣＲＣがスクランブルされたＤＣＩを用いてスケジュールされた再送に対し、動的グラント設定情報内の繰り返し回数（pusch-AggregationFactor、aggregation-factor-UL）が適用されてもよい。言い換えれば、設定グラント設定情報内の繰り返し回数Ｋは、初送（initial  transmission、再送でない送信）のみに適用されてもよい。
【００７５】
設定グラントタイプ１送信に対し、ＣＳ−ＲＮＴＩでＣＲＣがスクランブルされたＤＣＩを用いてスケジュールされた再送ＰＵＳＣＨの時間ドメインリソース割り当て及び周波数ドメインリソース割り当ての少なくとも１つは、動的グラント設定情報に基づく再送スケジューリング用ＤＣＩ内のフィールド（time  domain  resource  assignment、frequency  domain  resource  assignment）に従ってもよい。再送のリソースの割り当てにＤＣＩを用いることによって、再送のリソースを柔軟に設定できる。
【００７６】
設定グラント設定情報に従うＤＣＩと、動的グラント設定情報に従うＤＣＩと、の間において、ＤＣＩ内のフィールドのビット位置が異なる可能性がある。これは、設定グラント設定情報(ConfiguredGrantConfig)と動的グラント設定情報(PUSCH-Config)で、ＰＵＳＣＨ送信に用いる各種パラメータの設定値が異なる場合などに生じる。
【００７７】
アクティベーション／リリース用ＤＣＩと再送スケジューリング用ＤＣＩとに対し、次のオプション１、２のいずれか１つが適用されてもよい。
【００７８】
（オプション１）
設定グラント送信の初送と再送が、異なる上位レイヤパラメータに従うとしても、アクティベーション／リリース用ＤＣＩと再送スケジューリング用ＤＣＩとの間において、特定フィールドのビット位置が固定であってもよい。
【００７９】
ＵＥは、ＤＣＩがアクティベーション／リリース用ＤＣＩであるか再送スケジューリング用ＤＣＩであるかに関わらず、特定フィールドがＤＣＩ内の固定のビット位置にあると想定してもよい。
【００８０】
ＮＷ（例えば、無線基地局、ｇＮＢ、ｅＮＢ、ＴＲＰ（Transmission/Reception  Point））は、各種パラメータの設定によって、ＤＣＩ内のフィールドのビット数、位置、順番、の少なくとも１つを決定することができる。ＮＷは、ＰＵＳＣＨのアクティベーション／リリース用のＤＣＩと、ＰＵＳＣＨの再送用のＤＣＩとの間で、特定フィールドのビット位置が固定されるように、各種パラメータを設定してもよい。
【００８１】
ＮＷによる設定は、ＵＥにおけるブラインド復号（blind  decoding：ＢＤ）の複雑さの増加、ＮＷにおけるスケジューリングの制限、を避けることが好ましい。アクティベーション／リリース用ＤＣＩの総ビットサイズ（ＤＣＩペイロード）は、通常の動的グラントのサイズ（ＤＣＩペイロード）よりも大きくならないことが好ましい。ＮＷは、設定グラント設定情報(ConfiguredGrantConfig)と動的グラント設定情報(PUSCH-Config)に含まれる各パラメータの設定を行う際に、前記特定フィールドのビット位置が、Ｃ−ＲＮＴＩでＣＲＣをマスキングされた動的グラントＰＵＳＣＨ向けのＤＣＩと、ＣＳ−ＲＮＴＩでＣＲＣをマスキングされた設定グラントＰＵＳＣＨ向けのＤＣＩとで、同じになるよう制御する。
【００８２】
アクティベーション／リリース用ＤＣＩと再送スケジューリング用ＤＣＩとの間において特定フィールドのビット位置が固定されることによって、ＵＥは、２つのビット位置から特定フィールドを探す場合に比べて、負荷を軽減できる。また、ＵＥは、ビット位置を誤って検出することが無いため、誤検出率（false  alarm  rate）を低減できる。
【００８３】
（オプション２）
アクティベーション／リリース用ＤＣＩと再送用スケジューリング用ＤＣＩとの間において、特定フィールドのビット位置の違いが許容されてもよい。
【００８４】
ＵＥは、ＤＣＩ内の特定フィールドのビット位置の２つのセットを確認してもよい。２つのセットは、アクティベーション／リリース用ＤＣＩにおける特定フィールドのビット位置と、再送スケジューリング用ＤＣＩにおける特定フィールドのビット位置と、をそれぞれ示してもよい。例えば、ＵＥは、予め設定された２つのセットのそれぞれのビット位置から特定フィールドを読み（読み出しを試行し）、正常値を読むことができたセットの特定フィールドに基づいて、アクティベーション／リリース用ＤＣＩであるか、再送スケジューリング用ＤＣＩであるか、識別してもよい。
【００８５】
ＤＣＩの用途によって、特定フィールドの位置が異なることを許容することによって、ＮＷは、ＤＣＩを柔軟に設定できる。
【００８６】
以上の第２の態様によれば、設定グラント送信の再送に動的グラント設定情報を用いることによって、設定グラント送信の初送と異なるパラメータを設定でき、初送と異なる特性を与えることができる。
【００８７】
（第３の態様）
第３の態様において、ＣＳ−ＲＮＴＩによってスクランブルされたＣＲＣを有するＤＣＩによってスケジュールされた再送のための一部のパラメータが、設定グラント設定情報に従い、他の一部のパラメータが、動的グラント設定情報に従う。
【００８８】
ＣＳ−ＲＮＴＩでＣＲＣがスクランブルされたＤＣＩを用いてスケジュールされたＰＵＳＣＨの再送は、設定グラントベース送信（設定グラントを伴うＰＵＳＣＨ送信）として扱われ、一部の例外を除き、設定グラント設定情報に従ってもよい。
【００８９】
設定グラント設定情報のうち設定グラントタイプ１用の設定情報（設定グラントタイプ１設定情報、rrc-ConfiguredUplinkGrant）の一部の例外は、再送に適用されなくてもよい（無視されてもよい）。
【００９０】
例外は、設定グラントタイプ１設定情報内の時間ドメインオフセット（timeDomainOffset）を含んでもよく、再送スケジューリング用のＤＣＩ内の指示（フィールド、例えば、time  domain  resource  assignment）に従ってもよい。
【００９１】
また、例外は、パスロス参照インデックス（pathlossReferenceIndex）を含んでもよい。パスロス参照インデックスは、ＰＵＳＣＨのパスロス推定に用いられるＲＳ（Reference  Signal、例えば、ＣＳＩ−ＲＳ、ＳＳブロック）を示す。パスロス参照インデックスを決定するために、次の方法が用いられてもよい。
【００９２】
・設定グラント設定情報（ConfiguredGrantConfig）によって設定されたＰＵＳＣＨ送信に対し、もし設定グラント設定情報内の設定グラントタイプ１設定情報（rrc-ConfiguredUplinkGrant）が、パスロス参照インデックス（pathlossReferenceIndex）を含む場合、ＲＳリソースインデックスｑｄはパスロス参照インデックスの値によって提供されてもよい。
・設定グラント設定情報によって設定されたＰＵＳＣＨ送信に対し、もし設定グラント設定情報内の設定グラントタイプ１設定情報が、パスロス参照インデックスを含まない場合、ＵＥは、ＰＵＳＣＨ送信をアクティベートするＤＣＩフォーマット内のＳＲＩ（SRS（Sounding  reference  Signal）  Resource  Indicator）フィールドにマップされるＰＵＳＣＨパスロス参照ＲＳ−ＩＤ（例えば、PUSCH-PathlossReferenceRS-Id）の値から、ＲＳリソースインデックスｑｄを決定してもよい。もしＰＵＳＣＨ送信をアクティベートするＤＣＩフォーマットがＳＲＩフィールドを含まない場合、ＵＥは、対応するＰＵＳＣＨパスロス参照ＲＳ−ＩＤが０に等しいとしてＲＳリソースを決定してもよい。
【００９３】
設定グラント設定情報のうち設定グラントタイプ１設定情報以外の設定情報（設定グラントタイプ１送信及び設定グラントタイプ２送信の両方のための設定情報、共通設定情報）の一部の例外は、再送に適用されなくてもよい（無視されてもよい）。
【００９４】
例外は、繰り返し回数（repK）、ＲＶ系列（repK-RV、ＲＶパターン）であってもよい。ＲＶ系列は、所定数（例えば４）のＲＶ（ＲＶインデックス）を含んでもよい。ＲＶ系列は、｛０，２，３，１｝、｛０，３，０，３｝、｛０，０，０，０｝の１つを示してもよい。
【００９５】
設定グラント送信の再送における繰り返し回数は、設定グラント設定情報によらず（設定グラント設定情報によって１よりも多い繰り返し回数が設定されたとしても）、１と想定（固定）されてもよい。すなわち、ＵＥは、設定グラント送信の再送において繰り返し送信を行わなくてもよい。また、ＵＥは、設定グラント送信の初送において設定グラント設定情報内の繰り返し回数を参照し、設定グラント送信の再送において動的グラント設定情報内の繰り返し回数を参照してもよい。例えば、動的グラント設定情報内の繰り返し回数は、設定グラント設定情報内の繰り返し回数と異なっていてもよい。例えば、動的グラント設定情報内の繰り返し回数は、設定グラント設定情報内の繰り返し回数より少なくてもよい。例えば、ＵＥは、設定グラント設定情報に基づいて設定グラント送信の初送の繰り返し回数を８とし、動的グラント設定情報に基づいて設定グラント送信の再送の繰り返し回数を２としてもよい。
【００９６】
再送におけるＲＶは、再送スケジューリング用ＤＣＩ内の指示（フィールド、例えば、redundancy  version）に従ってもよい。例えば、ＤＣＩ内の指示が、所定のＲＶ系列の最初のＲＶを示してもよい。この場合、最初のＲＶが与えられた繰り返しインデックスに続くその他のインデックスに対しては、｛０，２，３，１｝、｛０，３，０，３｝、｛０，０，０，０｝のいずれかの順番が巡回で適用されるものとしてもよい。
【００９７】
図３に示すように、設定グラントタイプ１送信及び設定グラントタイプ２送信の両方に対し、次のパラメータの少なくとも１つは、設定グラント設定情報を再送に再利用してもよい。
【００９８】
・周波数ホッピング（周波数ホッピングモード）：frequencyHopping
・設定グラントＤＭＲＳ設定：cg-DMRS-Configuration
・変換プリコーダ（transformer  precoderの有効化）：transformPrecoder
・ＭＣＳ（Modulation  and  Coding  Scheme、変調符号化方式）テーブル：mcs-Table
・変換プリコーディング用ＭＣＳテーブル：mcs-TableTransformPrecoder
・ＵＣＩｏｎＰＵＳＣＨ（動的ベータオフセット又は準静的ベータオフセット）：uci-OnPUSCH
・ＲＢＧ（ＲＥＧ（Resource  Element  Group）バンドルグループ）サイズ：rbg-Size
・使用閉電力制御ループ：powerControlLoopToUse
・Ｐ０＿ＰＵＳＣＨ−アルファ−インデックス（｛Ｐ０＿ＰＵＳＣＨ，α｝セットのインデックス）：p0-PUSCH-Alpha
・ＨＡＲＱプロセス数：nrofHARQ-Processes
・設定グラントタイマ：configuredGrantTimer
【００９９】
設定グラントタイプ１送信及び設定グラントタイプ２送信の両方に対し、再送の繰り返し用冗長バージョン系列は、設定グラント設定情報内の繰り返し用冗長バージョン系列（repK-RV）に従ってもよいし、固定のＲＶ系列（ＲＶサイクリング）、例えば｛０，２，３，１｝であってもよい。再送における最初のＲＶは、再送スケジューリング用ＤＣＩ内のＲＶフィールドに基づいてもよい。
【０１００】
設定グラントタイプ１送信及び設定グラントタイプ２送信の両方に対し、設定グラント設定情報内の周期（periodicity）は再送に適用されなくてもよい（無視されてもよい）。
【０１０１】
設定グラントタイプ１送信に対し、設定グラント設定情報内のパスロス参照インデックスは、再送に再利用されてもよい。
【０１０２】
図４に示すように、設定グラントタイプ１送信に対し、設定グラント設定情報内の次のパラメータの少なくとも１つは、再送のスケジューリングのためのＤＣＩ内の指示を利用してもよい。
【０１０３】
・ＤＭＲＳ系列初期化：dmrs-SeqInitialization
・時間ドメインオフセット：timeDomainOffset
・時間ドメイン割り当て：timeDomainAllocation
・周波数ドメイン割り当て：frequencyDomainAllocation
・アンテナポート：antennaPort
・プリコーディング及びレイヤ数：precodingAndNumberOfLayers
・ＳＲＳリソース指示子：srs-ResourceIndicator
・ＭＣＳ及びＴＢＳ（Transport  Block  Size）：mcsAndTBS
・周波数ホッピングオフセット：frequencyHoppingOffset
【０１０４】
なお、設定グラントタイプ１送信に対し、これらのパラメータの少なくとも１つは、設定グラント設定情報を利用してもよい。
【０１０５】
以上の第３の態様によれば、パラメータ毎に、設定グラント設定情報、動的グラント設定情報、再送スケジューリング用ＤＣＩのいずれを用いるかを定めることによって、再送を柔軟に設定できる。
【０１０６】
（無線通信システム）
以下、本発明の一実施形態に係る無線通信システムの構成について説明する。この無線通信システムでは、本発明の上記各実施形態に係る無線通信方法のいずれか又はこれらの組み合わせを用いて通信が行われる。
【０１０７】
図５は、本発明の一実施形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【０１０８】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【０１０９】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【０１１０】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、又は６個以上のＣＣ）を用いてＣＡ又はＤＣを適用してもよい。
【０１１１】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１１２】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【０１１３】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【０１１４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【０１１５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１１６】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【０１１７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【０１１８】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１１９】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１２０】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１２１】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１２２】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１２３】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１２４】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１２５】
（無線基地局）
図６は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１２６】
下りリンクによって無線基地局１０からユーザ端末２０に送信されるユーザデータは、上位局装置３０から伝送路インターフェース１０６を介してベースバンド信号処理部１０４に入力される。
【０１２７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１２８】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２９】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１３０】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１３１】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１３２】
図７は、本発明の一実施形態に係る無線基地局の機能構成の一例を示す図である。なお、本例では、本実施形態における特徴部分の機能ブロックを主に示しており、無線基地局１０は、無線通信に必要な他の機能ブロックも有すると想定されてもよい。
【０１３３】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１３４】
制御部（スケジューラ）３０１は、無線基地局１０全体の制御を実施する。制御部３０１は、本発明に係る技術分野での共通認識に基づいて説明されるコントローラ、制御回路又は制御装置から構成することができる。
【０１３５】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１３６】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。また、制御部３０１は、同期信号（例えば、ＰＳＳ（Primary  Synchronization  Signal）／ＳＳＳ（Secondary  Synchronization  Signal））、下り参照信号（例えば、ＣＲＳ、ＣＳＩ−ＲＳ、ＤＭＲＳ）などのスケジューリングの制御を行う。
【０１３７】
送信信号生成部３０２は、制御部３０１からの指示に基づいて、下り信号（下り制御信号、下りデータ信号、下り参照信号など）を生成して、マッピング部３０３に出力する。送信信号生成部３０２は、本発明に係る技術分野での共通認識に基づいて説明される信号生成器、信号生成回路又は信号生成装置から構成することができる。
【０１３８】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ）などに基づいて決定された符号化率、変調方式などに従って符号化処理、変調処理が行われる。
【０１３９】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路又はマッピング装置から構成することができる。
【０１４０】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本発明に係る技術分野での共通認識に基づいて説明される信号処理器、信号処理回路又は信号処理装置から構成することができる。
【０１４１】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１４２】
測定部３０５は、受信した信号に関する測定を実施する。測定部３０５は、本発明に係る技術分野での共通認識に基づいて説明される測定器、測定回路又は測定装置から構成することができる。
【０１４３】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１４４】
また、送受信部１０３は、上位レイヤによって設定された周期に従う第１チャネル（例えば、設定グラント送信のＰＵＳＣＨ、ＳＰＳのＰＤＳＣＨ）のアクティベーションのための第１下り制御情報（例えば、ＣＳ−ＲＮＴＩによってスクランブルされたＣＲＣを有するＤＣＩ）を送信し、前記第１チャネルの再送のスケジューリングのための第２下り制御情報（例えば、ＣＳ−ＲＮＴＩによってスクランブルされたＣＲＣを有するＤＣＩ）を送信してもよい。
【０１４５】
また、制御部３０１は、前記第２下り制御情報における特定フィールドの位置を、前記第１下り制御情報における前記特定フィールドの位置に合わせてもよい。
【０１４６】
また、制御部３０１は、前記第１チャネルのための設定を示す第１設定情報、上位レイヤによって周期を設定されない第２チャネル（例えば、動的グラントによってスケジュールされる、ＰＵＳＣＨ、ＰＤＳＣＨ）のための設定を示す第２設定情報、及び前記第２下り制御情報、の中の所定パラメータを前記再送に適用してもよい。
【０１４７】
また、制御部３０１は、前記第１設定情報の中の、周期、繰り返し回数、冗長バージョン系列、周期、の少なくとも１つを、前記再送に適用しなくてもよい。
【０１４８】
また、制御部３０１は、前記第２下り制御情報内の、時間ドメインリソース割り当て、冗長バージョン、の少なくとも１つを、前記再送に適用してもよい。
【０１４９】
また、制御部３０１は、前記第１設定情報のうち設定グラントタイプ１送信用のパラメータを、前記再送に適用しなくてもよい。
【０１５０】
（ユーザ端末）
図８は、本発明の一実施形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１５１】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１５２】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１５３】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１５４】
図９は、本発明の一実施形態に係るユーザ端末の機能構成の一例を示す図である。なお、本例においては、本実施形態における特徴部分の機能ブロックを主に示しており、ユーザ端末２０は、無線通信に必要な他の機能ブロックも有すると想定されてもよい。
【０１５５】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１５６】
制御部４０１は、ユーザ端末２０全体の制御を実施する。制御部４０１は、本発明に係る技術分野での共通認識に基づいて説明されるコントローラ、制御回路又は制御装置から構成することができる。
【０１５７】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１５８】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１５９】
送信信号生成部４０２は、制御部４０１からの指示に基づいて、上り信号（上り制御信号、上りデータ信号、上り参照信号など）を生成して、マッピング部４０３に出力する。送信信号生成部４０２は、本発明に係る技術分野での共通認識に基づいて説明される信号生成器、信号生成回路又は信号生成装置から構成することができる。
【０１６０】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１６１】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路又はマッピング装置から構成することができる。
【０１６２】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１６３】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１６４】
測定部４０５は、受信した信号に関する測定を実施する。測定部４０５は、本発明に係る技術分野での共通認識に基づいて説明される測定器、測定回路又は測定装置から構成することができる。
【０１６５】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１６６】
また、送受信部２０３は、上位レイヤによって設定された周期に従う第１チャネル（例えば、設定グラント送信のＰＵＳＣＨ、ＳＰＳのＰＤＳＣＨ）のアクティベーションのための第１下り制御情報（例えば、ＣＳ−ＲＮＴＩによってスクランブルされたＣＲＣを有するＤＣＩ）を受信し、前記第１チャネルの再送のスケジューリングのための第２下り制御情報（例えば、ＣＳ−ＲＮＴＩによってスクランブルされたＣＲＣを有するＤＣＩ）を受信してもよい。
【０１６７】
また、制御部４０１は、前記第１チャネルのための設定を示す第１設定情報（例えば、設定グラント設定情報）、上位レイヤによって周期を設定されない第２チャネル（例えば、動的グラントによってスケジュールされる、ＰＵＳＣＨ、ＰＤＳＣＨ）のための設定を示す第２設定情報（例えば、動的グラント設定情報）、及び前記第２下り制御情報、の中の所定パラメータを前記再送に適用してもよい。
【０１６８】
また、制御部４０１は、前記第１設定情報の中の、周期、繰り返し回数、冗長バージョン系列、周期、の少なくとも１つを、前記再送に適用しなくてもよい。
【０１６９】
また、制御部４０１は、前記第２下り制御情報の中の、時間ドメインリソース割り当て、冗長バージョン、の少なくとも１つを、前記再送に適用してもよい。
【０１７０】
また、制御部４０１は、受信された下り制御情報が前記第１下り制御情報であるか前記第２下り制御情報であるかに関わらず、前記下り制御情報における特定フィールドの位置が固定であると想定してもよい。
【０１７１】
また、制御部４０１は、受信された下り制御情報における特定フィールドに基づいて、前記下り制御情報が前記第１下り制御情報であるか前記第２下り制御情報であるかを識別してもよい。
【０１７２】
また、制御部４０１は、前記制御部は、前記第１設定情報のうち設定グラントタイプ１送信用のパラメータ（例えば、設定グラントタイプ１設定情報内の少なくとも１つのパラメータ）を、前記再送に適用しなくてもよい。
【０１７３】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。
【０１７４】
例えば、本開示の一実施形態における無線基地局、ユーザ端末などは、本開示の無線通信方法の処理を行うコンピュータとして機能してもよい。図１０は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７５】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１７７】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１７８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１７９】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１８０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１８１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１８３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８５】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８６】
（変形例）
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１８７】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１８８】
ここで、ニューメロロジーとは、ある信号又はチャネルの送信及び受信の少なくとも一方に適用される通信パラメータであってもよい。例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１８９】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１９０】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１９１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１９２】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９３】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９４】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１９５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９６】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１９７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９８】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。
【０１９９】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。
【０２００】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２０１】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２０２】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２０３】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２０４】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２０５】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０６】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２０７】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０８】
情報の通知は、本開示において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２０９】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２１０】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１１】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２１４】
本開示において使用する「システム」及び「ネットワーク」という用語は、互換的に使用され得る。
【０２１５】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）」、「送受信ポイント（transmission/reception  point）」、「セル」、「セクタ」、「セルグループ」、「キャリア」、「コンポーネントキャリア」、「帯域幅部分（ＢＷＰ：Bandwidth  Part）」などの用語は、互換的に使用され得る。基地局は、マクロセル、スモールセル、フェムトセル、ピコセルなどの用語で呼ばれる場合もある。
【０２１６】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２１７】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２１８】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１９】
基地局及び移動局の少なくとも一方は、送信装置、受信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。
【０２２０】
また、本開示における無線基地局は、ユーザ端末で読み替えてもよい。例えば、無線基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の無線基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２２１】
同様に、本開示におけるユーザ端末は、無線基地局で読み替えてもよい。この場合、上述のユーザ端末２０が有する機能を無線基地局１０が有する構成としてもよい。
【０２２２】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２２３】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２２４】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２２５】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２６】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２２７】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。
【０２２８】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２２９】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３０】
また、「判断（決定）」は、「想定する（assuming）」、「期待する（expecting）」、「みなす（considering）」などで読み替えられてもよい。
【０２３１】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２３２】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２３３】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２３４】
本開示において、「ＡとＢが異なる」という用語は、「ＡとＢが互いに異なる」ことを意味してもよい。「離れる」、「結合される」などの用語も同様に解釈されてもよい。
【０２３５】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２３６】
本開示において、例えば、英語でのa,  an及びtheのように、翻訳によって冠詞が追加された場合、本開示は、これらの冠詞の後に続く名詞が複数形であることを含んでもよい。
【０２３７】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2019230003.tif 000003
【図２】
2019230003.tif 000004
【図３】
2019230003.tif 000005
【図４】
2019230003.tif 000006
【図５】
2019230003.tif 000007
【図６】
2019230003.tif 000008
【図７】
2019230003.tif 000009
【図８】
2019230003.tif 000010
【図９】
2019230003.tif 000011
【図１０】
2019230003.tif 000012
【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
物理上りリンク共有チャネル（ＰＵＳＣＨ）設定及び設定グラント設定を受信する受信部と、
前記ＰＵＳＣＨ設定の一部である第１パラメータを、前記設定グラント設定に基づくＰＵＳＣＨの再送に適用する制御部と、を有する端末。
【請求項２】
前記ＰＵＳＣＨ設定内においてデータの繰り返し数が設定される場合、前記制御部は、前記繰り返し数を前記再送に適用する、請求項１に記載の端末。
【請求項３】
前記制御部は、前記設定グラント設定の一部である第２パラメータを前記再送に適用する、請求項１又は請求項２に記載の端末。
【請求項４】
前記第２パラメータは、ＰＵＳＣＨ用のＰ０及びαの情報、使用される閉電力制御ループの情報、変調符号化方式（ＭＣＳ）テーブルの情報、トランスフォームプリコーディング用ＭＣＳテーブルの情報、の少なくとも１つを含む、請求項３に記載の端末。
【請求項５】
前記受信部は、前記再送を指示する物理下りリンク制御チャネル（ＰＤＣＣＨ）を受信する、請求項１から請求項４のいずれかに記載の端末。
【請求項６】
物理上りリンク共有チャネル（ＰＵＳＣＨ）設定及び設定グラント設定を受信するステップと、
前記ＰＵＳＣＨ設定の一部である第１パラメータを、前記設定グラント設定に基づくＰＵＳＣＨの再送に適用するステップと、を有する、端末の無線通信方法。
【請求項７】
物理上りリンク共有チャネル（ＰＵＳＣＨ）設定及び設定グラント設定を送信する送信部と、
前記設定グラント設定に基づくＰＵＳＣＨの再送の受信を制御する制御部と、を有し、
前記ＰＵＳＣＨ設定の一部である第１パラメータが前記再送に適用される、基地局。
【請求項８】
端末と基地局とを有するシステムであって、
前記端末は、
物理上りリンク共有チャネル（ＰＵＳＣＨ）設定及び設定グラント設定を受信する受信部と、
前記ＰＵＳＣＨ設定の一部である第１パラメータを前記再送に適用する制御部と、を有し、
前記基地局は、
前記ＰＵＳＣＨ設定及び前記設定グラント設定を送信する送信部と、
前記再送の受信を制御する制御部と、を有する、システム。
【手続補正３】
【補正対象書類名】明細書
【補正対象項目名】００１０
【補正方法】変更
【補正の内容】
【００１０】
本開示の一態様に係る端末は、物理上りリンク共有チャネル（ＰＵＳＣＨ）設定及び設定グラント設定を受信する受信部と、前記ＰＵＳＣＨ設定の一部である第１パラメータを、前記設定グラント設定に基づくＰＵＳＣＨの再送に適用する制御部と、を有することを特徴とする。
【国際調査報告】
2019230003.tif 000013
2019230003.tif 000014
2019230003.tif 000015